(57)【特許請求の範囲】
【請求項１】
それぞれが、電子部品を収容するシェルフと該シェルフに支持されたフィルタとを備える複数の電子装置と、該複数の電子装置を少なくとも垂直方向に整列して支持する支持筐体とを備える通信装置において、
隣接する２つの電子装置の間に挿入されて前記支持筐体に支持され、前記フィルタの吸気側に配設されるユニット筐体と、該ユニット筐体に移動可能に支持されるノズルとを備える吸塵ユニットと、
前記ノズルと吸気管を介して結合されるコンプレッサと、該コンプレッサで吸引された吸気中から集塵する集塵部材とを備える集塵装置と、
前記ノズルを、前記フィルタに対向する平面内で移動させる駆動機構とを備え、
前記駆動機構によって前記ノズルを移動させ、前記コンプレッサによって前記ノズルを介して前記フィルタから塵埃を吸引することで、前記フィルタから塵埃を収集することを特徴とする通信装置。
【請求項２】
前記集塵装置は、前記支持筐体外に配設される、請求項１に記載の通信装置。
【請求項３】
前記集塵装置は、前記吸気管内の圧力低下を検出する圧力センサを備える、請求項１又は２に記載の通信装置。
【請求項４】
前記集塵装置は、複数の吸塵ユニットに共通に配設される、請求項１〜３の何れか一に記載の通信装置。
【請求項５】
前記ノズルは、前記フィルタの表面を摺動する先端部分に複数の突部を有する、請求項１〜４の何れか一に記載の通信装置。
【請求項６】
前記コンプレッサは、所定の時間間隔で周期的に運転される、請求項１〜５の何れか一に記載の通信装置。
【発明の詳細な説明】
【技術分野】
【０００１】
本発明は、通信装置に関し、更に詳しくは、電子部品を収容するシェルフを有する複数の電子装置が垂直方向に配列された通信装置に関する。
【背景技術】
【０００２】
屋内に設置される通信機器は、一般に、シェルフ単位の電子装置が支持筐体内に縦積みされて実装される。図５（ａ）、（ｂ）はそれぞれ、典型的な従来の通信装置の正面図及び側面図を示している。通信装置５０を構成する各電子装置５１は、図示のようにシェルフ内に立てて配設された多数のカード型電子回路５３を有しており、シェルフ単位で通信装置の支持筐体５２内に実装される。
【０００３】
図６（ａ）は、上記通信装置５０に実装される各電子装置５１の一例を、内部のカード型電子回路５３の多くを除いて斜視図で示している。電子装置５１は、直方体形状の枠組を有し、前面、上面及び下面がそれぞれ開放するシェルフ５７と、シェルフ５７底部のガイドレール５４上に配設されており、機能部品を構成するカード型電子回路５３と、ガイドレール５４の下部にアレイ状に配設される複数のファンユニット５５と、ファンユニット５５の吸気側に配設されるエアフィルタ５６とを備える。ガイドレール５４に沿って各カード型電子回路５３がシェルフ５７内に挿入されることにより、カード型電子回路５３の後部コネクタと、シェルフ５７の後面に配設されたコネクタとが嵌合して、電気的接続が行われる。
【０００４】
図６（ｂ）は、上記電子装置５１の空気流を、図６（ａ）のｂ−ｂ線に沿った断面図で模式的に示している。各ファンユニット５５は、ガイドレール５４の下方からエアフィルタ５６を通して清浄なエアを吸気し、カード型電子回路５３を冷却した後に、そのエアをシェルフ５７の上部に形成された排気開口を経由して外部に排気する。
【０００５】
ところで、上記通信装置５０のエアフィルタ５６は、長期にわたってファンユニット５５が稼動すると、エアフィルタ５６表面に塵埃が蓄積され、ファンユニット５５の吸気量を低下させる。吸気量の低下を防止し、電子装置５１における冷却能力が不足にならないように、エアフィルタ５６の定期的な清掃が必要である。エアフィルタ５６の清掃又は交換に際しては、保守作業者が、現場に赴き、エアフィルタ５６をシェルフ５７から一つずつ取り外して、その清掃を行う。従って、その作業工数が大きいという問題があった。
【０００６】
特許文献１は、エアフィルタ表面に蓄積した塵埃を吸引する濾材再生式エアフィルタ装置を記載している。この装置では、エアフィルタ表面に対向する平面内で移動可能なノズルを備え、ノズルからの吸塵を行っている。
【特許文献１】実用新案登録第３０２１２１０号
【発明の開示】
【発明が解決しようとする課題】
【０００７】
ところで、特許文献１に記載の濾材再生式エアフィルタ装置を通信装置に適用し、メンテナンスの向上を図るためには、ノズルをどのように配置すべきか、また、ノズルで吸引した塵埃をどのように処理すべきかが問題となる。
【０００８】
本発明は、上記に鑑み、電子装置のフィルタ表面を清掃する清掃作業を簡素化する通信装置を提供することを目的とする。
【課題を解決するための手段】
【０００９】
上記目的を達成するために、本発明の通信装置は、それぞれが、電子部品を収容するシェルフと該シェルフに支持されたフィルタとを備える複数の電子装置と、該複数の電子装置を少なくとも垂直方向に整列して支持する支持筐体とを備える通信装置において、
隣接する２つの電子装置の間に挿入されて前記支持筐体に支持され、前記フィルタの吸気側に配設されるユニット筐体と、該ユニット筐体に移動可能に支持されるノズルとを備える吸塵ユニットと、
前記ノズルと吸気管を介して結合されるコンプレッサと、該コンプレッサで吸引された吸気中から集塵する集塵部材とを備える集塵装置と、
前記ノズルを、前記フィルタに対向する平面内で移動させる駆動機構とを備え、
前記駆動機構によって前記ノズルを移動させ、前記コンプレッサによって前記ノズルを介して前記フィルタから塵埃を吸引することで、前記フィルタから塵埃を収集することを特徴とする。
【発明の効果】
【００１０】
本発明の通信装置によれば、吸塵ユニットのユニット筐体が、２つの電子装置の間に挿入されて支持筐体に支持され、ノズルがユニット筐体に移動可能に支持されることによって、電子装置のフィルタ表面から塵埃を収集可能な構成を実現している。また、集塵装置を備えることによって、吸塵ユニットから収集された塵埃を自動的に集塵できる。従って、保守作業者による清掃作業を省略又は削減し、電子装置のフィルタ表面を清掃する清掃作業を簡素化できる。
【００１１】
本発明の通信装置によれば、また、集塵装置のコンプレッサと吸塵ユニットのノズルとが吸気管を介して結合される構成によって、集塵装置の配置の自由度を高めている。これら吸塵ユニット及び集塵装置の構成によって、既成の通信装置に対する設計変更を抑えつつ、本発明の通信装置を実現できる。
【００１２】
本発明の通信装置によれば、前記ノズルは、前記フィルタに対向する平面内で移動可能である。ノズルをＸ − Ｙ 平面内で走査させることによって、フィルタから塵埃を効率的に収集できる。
【００１３】
本発明の通信装置の好適な態様では、前記集塵装置は、前記支持筐体外に配設される。２つのシェルフの間の隙間が狭い通信装置であっても、集塵装置が支持筐体外に配設されることによって、本発明を容易に適用できる。
【００１４】
本発明の通信装置の好適な態様では、前記集塵装置は、前記吸気管内の圧力低下を検出する圧力センサを備える。例えば圧力センサが検知した圧力が所定のしきい値を上回った際に、アラームを発することによって、集塵部材を交換する適切なタイミングをユーザに通知できる。
【００１５】
本発明の通信装置では、前記集塵装置は、複数の吸塵ユニットに共通に配設されてもよく、この場合、設備コストを抑制できる。
【００１６】
本発明の通信装置の好適な態様では、前記ノズルは、前記フィルタの表面を摺動する先端部分に複数の突部を有する。フィルタの清掃に際して、ノズルの先端がフィルタ表面に蓄積した塵埃を削ぎ落としながら移動するので、塵埃をより効率的に収集できる。
【００１７】
本発明の通信装置の好適な態様では、前記コンプレッサは、所定の時間間隔で周期的に運転される。稼動コストを抑制できる。
【発明を実施するための最良の形態】
【００１８】
以下に、図面を参照し、本発明の実施形態を詳細に説明する。図１は、本発明の一実施形態に係る通信装置について、エアフィルタ清掃装置の構成を模式的に示す断面図である。通信装置１０は、図５に示した通信装置５０の構成に加え、エアフィルタ５６表面に蓄積した塵埃の吸引を行う吸塵ユニット１１と、吸塵ユニット１１によって吸引された塵埃を収集する集塵装置１２とを備える。
【００１９】
吸塵ユニット１１は、通信装置５０で、各シェルフ５７下部の隙間５８に収容されるユニット筐体２１と、ユニット筐体２１に支持されエアフィルタ５６表面に蓄積した塵埃１３を吸引するためのノズル２２とを備える。ノズル２２は、可撓性のホース２３を介して、集塵装置１２に接続されている。
【００２０】
図２は、吸塵ユニット１１の構成を詳細に示す斜視図である。ユニット筐体２１は、上面及び下面が開放する直方体形状を有し、ユニット筐体２１の一側面の両縁部には、その側面から延長するブラケット２４が取り付けられている。ブラケット２４には、縦長のネジ穴２５が形成され、吸塵ユニット１１は、ネジ穴２５を介して通信装置の支持筐体５２に固定される。縦長のネジ穴２５によって、支持筐体５２に対する吸塵ユニット１１の高さ方向の位置が調節できる。なお、ブラケット２４は、他方の側面にも取り付け可能である。
【００２１】
吸塵ユニット１１は、支持筐体５２の前面と平行な水平のＸ軸方向に延在しＹ軸方向に移動可能なＸ支柱２６と、Ｙ軸方向に延在しＸ軸方向に移動可能なＹ支柱２７とを備える。Ｘ支柱２６及びＹ支柱２７は、ユニット筐体２１の内側の側面に、Ｙ軸方向及びＸ軸方向にそれぞれ延在して形成された、図示しないガイドレールによって支持されている。Ｘ支柱２６及びＹ支柱２７の交点部分には、Ｘ軸方向及びＹ軸方向に平行に延在する貫通孔を有し、これら貫通孔にＸ支柱２６及びＹ支柱２７をそれぞれ収容する支点部材２８が配設される。支点部材２８は、Ｘ支柱２６及びＹ支柱２７によって摺動可能に支持される。ノズル２２が、支点部材２８に固定されている。
【００２２】
ユニット筐体２１の対向するコーナ部分には、モータ２９，３０が配設され、各モータ２９，３０の回転運動は、図示しないスプロケット及びチェーンを介して、Ｘ支柱２６及びＹ支柱２７の直線運動に変換される。モータ２９，３０の駆動によって、ノズル２２をＸ方向及びＹ方向にそれぞれ移動させることが出来る。ノズル２２は、その上端が、ユニット筐体２１の上端よりも上に突出するように支点部材２８に対して固定されている。
【００２３】
図１に戻り、集塵装置１２は、通信装置５０の外部に任意に配設される。集塵装置１２は、密閉された筐体３１を備え、筐体３１の内部には、ホース２３の先端と集塵パック３３とを連結する連結部３２が配設されている。筐体３１の一部には、開閉可能な扉３４が配設され、扉３４を開いて集塵パック３３の交換を行うことが出来る。筐体３１には、筐体３１内の空気を排出するコンプレッサ３５が配設され、コンプレッサ３５の駆動によって、ノズル２２を介してエアフィルタ５６近傍のエアを吸引することが出来る。
【００２４】
集塵装置１２上には、モータ２９，３０及びコンプレッサ３５の駆動を制御する制御部４１が配設されている。制御部４１は、ＣＰＵ及び記憶装置を備え、プログラムに従って駆動する。また、内部に計時装置を備え、予め設定された時間間隔でモータ２９，３０及びコンプレッサ３５を駆動して、エアフィルタ５６の清掃を行う。エアフィルタ５６の清掃に際しては、ノズル２２がエアフィルタ５６表面の全面を走査するように、モータ２９，３０の駆動を制御する。
【００２５】
ホース２３の内部には、ホース２３内の圧力を検知する圧力センサ４２が配設されている。圧力センサ４２の出力信号は、配線４３を介して制御部４１に伝達される。制御部４１は、エアフィルタ５６清掃中に、圧力センサ４２で検知されたホース２３内の圧力を監視し、予め設定された所定のしきい値を上回った際に、集塵パック３３の交換を促すアラームを鳴らす。アラームが鳴ったタイミングで、集塵パック３３の交換を行うことによって、ノズル２２の吸引圧力の低下を防止できる。圧力センサ４２には、例えばシリコンダイヤフラム式のものを用いることが出来る。
【００２６】
本実施形態の通信装置１０によれば、吸塵ユニットのユニット筐体２１が、２つの電子装置５１の間に挿入され支持筐体５２に支持され、ノズル２２がユニット筐体２１に移動可能に支持されることによって、電子装置のエアフィルタ５６表面から塵埃１３を収集可能な構成を実現している。また、集塵装置１２を備えることによって、吸塵ユニット１１から収集された塵埃１３を集塵できる。従って、保守作業者による清掃作業を省略又は削減し、電子装置のエアフィルタ５６表面を清掃する清掃作業を簡素化できる。
【００２７】
本実施形態の通信装置１０によれば、ノズル２２と集塵装置１２とがホース２３を介して結合される構成によって、集塵装置１２の配置の自由度を高めている。集塵装置１２が支持筐体５２外に配設されることによって、既成の通信装置５０の寸法変更を行うことなく、本実施形態の通信装置１０を実現できる。
【００２８】
本実施形態の通信装置１０によれば、制御部４１の制御によって、エアフィルタ５６表面の清掃作業を周期的に行うので、稼動コストを抑制できる。また、制御部４１の制御によって、圧力センサ４２で検知されたホース２３内の圧力が、予め設定された所定のしきい値を上回った際に、集塵パック３３の交換を促すアラームを鳴らすことによって、集塵パック３３を交換する適切なタイミングをユーザに通知できる。
【００２９】
なお、実施形態の通信装置１０では、充分な吸引能力を確保できる場合には、複数の吸塵ユニット１１に対応して１つの集塵装置１２を接続してもよく、設備コストを低減できる。また、ユニット筐体２１の側面にも開口を形成することによって、電子装置５１への吸気量を増大させることが出来る。
【００３０】
図３は、上記実施形態の第１変形例に係る通信装置について、吸塵ユニット１１の構成を示す斜視図である。本変形例では、ノズル２２は、細長い矩形状の平面形状を有する。ノズル２２は、Ｙ軸方向の長さがエアフィルタ５６のＹ軸方向の長さに適合するように形成されている。ノズル２２は支点部材を介さずに、Ｙ支柱２７に対して直接に固定されている。Ｘ支柱２６やモータ２９等は配設されていない。
【００３１】
本変形例では、エアフィルタ５６の清掃に際して、制御部４１は、ノズル２２がエアフィルタ５６表面を、Ｘ軸方向の一端から他端まで移動するように、モータ２９の駆動を制御する。本変形例では、実施形態に比して、吸塵ユニット１１の構成を簡素化できる。
【００３２】
図４は、上記実施形態の第２変形例に係る通信装置について、吸塵ユニット１１の構成を示す斜視図である。本変形例では、ノズルの先端２２ａは、先端面に多数の突起形状を持ち、可撓性を有する材料で形成されている。また、ノズル２２は、その先端２２ａがエアフィルタ５６の表面に接触するように、支点部材２８に対して固定されている。この構成によって、ノズル２２は、エアフィルタ５６表面を機械的に清掃する機能も有する。
【００３３】
本変形例では、エアフィルタ５６の清掃に際して、ノズルの先端２２ａがエアフィルタ５６表面に蓄積した塵埃１３を削ぎ落としながら移動するので、塵埃１３をより効果的に除去できる。
【００３４】
なお、本発明におけるコンプレッサは狭義のコンプレッサに限らず、エアを吸引する機能を有する装置であればよい。また、実施形態では、フィルタ表面の清掃を周期的に行うものとしたが、清掃を行うタイミングはこれに限定されず、例えばフィルタの目詰まりを検知して間欠的に行っても構わない。
【００３５】
以上、本発明をその好適な実施形態に基づいて説明したが、本発明の通信装置は、上記実施形態の構成にのみ限定されるものではなく、上記実施形態の構成から種々の修正及び変更を施した通信装置も、本発明の範囲に含まれる。
【図面の簡単な説明】
【００３６】
【図１】本発明の一実施形態に係る通信装置について、エアフィルタ、吸塵ユニット、及び、集塵装置の構成を模式的に示す断面図である。
【図２】図１の吸塵ユニットの構成を詳細に示す斜視図である。
【図３】実施形態の第１変形例に係る通信装置について、吸塵ユニットの構成を示す斜視図である。
【図４】実施形態の第２変形例に係る通信装置について、吸塵ユニットの構成を示す斜視図である。
【図５】図５（ａ）、（ｂ）はそれぞれ、従来の通信装置の構成を示す正面図及び側面図である。
【図６】図６（ａ）は、図５の通信装置に実装される各電子装置の一例を、内部のカード型電子回路の多くを除いて示す斜視図であり、図６（ｂ）は、図６（ａ）のｂ−ｂ線に沿った断面を示す断面図である。
【符号の説明】
【００３７】
１０：通信装置
１１：吸塵ユニット
１２：集塵装置
１３：塵埃
２１：ユニット筐体
２２：ノズル
２２ａ：ノズルの先端
２３：ホース
２４：ブラケット
２５：ネジ穴
２６：Ｘ支柱
２７：Ｙ支柱
２８：支点部材
２９，３０：モータ
３１：筐体
３２：連結部
３３：集塵パック
３４：扉
３５：コンプレッサ
４１：制御部
４２：圧力センサ
４３：配線
５０：通信装置
５１：電子装置
５２：支持筐体
５３：カード型電子回路
５４：ガイドレール
５５：ファンユニット
５６：エアフィルタ
５７：シェルフ
５８：隙間
【図１】
0004631712.tif 000002
【図２】
0004631712.tif 000003
【図３】
0004631712.tif 000004
【図４】
0004631712.tif 000005
【図５】
0004631712.tif 000006
【図６】
0004631712.tif 000007